(57)【特許請求の範囲】
【請求項１】
特定の顧客用の衣服を、該顧客が提供した測定値を用いて製造するための装置であって、
コントローラと、
前記コントローラとの間で通信を行い、顧客が助けを借りることなく容易に求めることのできる顧客寸法に関する、少なくとも身長、体重、ウエスト、靴のサイズおよび股下を含む詳細な適合情報であって、選択した衣服を製造するための詳細な適合寸法を推定するのに最低限必要である情報を入力するよう顧客に要求するためのユーザインタフェースと、
前記コントローラとの間で通信を行い、前記選択した衣服を製造するのに必要な詳細な適合寸法を、前記詳細な適合情報を使用して少なくとも１つ推定するための規則であって、ＢＭＩ、Ｃ指数、Ｈｔ Ｐｒｏｐのうち少なくとも１つを用いた規則を含むコンピュータメモリと、
前記コンピュータメモリに含まれる規則を用いて、前記詳細な適合情報から前記選択した衣服を製造するのに必要な詳細な適合寸法を推定し、当該推定された詳細な適合寸法の各々を用いてパターンデータを求めるためのパターン作成プログラムと、
前記データを使用して、顧客が選択した衣服を製造すべく縫合される布地のパーツを裁断する製造設備に前記パターンデータを送信するための手段と、を備える装置。
【請求項２】
前記選択した衣服がズボンであることを特徴とする請求項１に記載の装置。
【請求項３】
前記コントローラとの間で通信を行う前記手段が、インターネットを介してコンピュータに接続されたモデムであることを特徴とする請求項１に記載の装置。
【請求項４】
前記コンピュータメモリが、オンライン記憶装置、オフライン記憶装置、磁気ディスク、磁気テープ、ランダムアクセスメモリ（ＲＡＭ）、リードオンリーメモリ（ＲＯＭ）、バブル記憶装置、コンパクトディスク（ＣＤ）およびデジタルビデオディスク（ＤＶＤ）からなる群から選択される１つまたは複数であることを特徴とする請求項１に記載の装置。
【請求項５】
前記パターン作成プログラムが、選択可能な衣服各々についての拡大縮小が可能なベースパターンと、前記ベースパターンの縮尺を変えて前記パターンデータを生成するための従来のソフトウエアとを含むことを特徴とする請求項１に記載の装置。
【請求項６】
顧客が選択した特注の衣服を製造するのに使用可能なパターンデータを作成するための装置であって、
コントローラと、
顧客と通信を行うために前記コントローラとの間で通信を行い、顧客が助けを借りることなく容易かつ実質的に正確に確認することのできる顧客寸法に関する、少なくとも身長、体重、ウエスト、靴のサイズおよび股下を含む詳細な適合情報であって、選択した衣服についてのパターンデータを作成するための詳細な適合寸法を推定するのに最低限必要である情報を入力するよう顧客に要求するためのユーザインタフェースと、
前記コントローラとの間で通信を行い、選択した衣服に対するパターンデータを作成するのに必要な詳細な適合寸法を、前記詳細な適合情報を使用して推定するための規則であって、ＢＭＩ、Ｃ指数、Ｈｔ Ｐｒｏｐのうち少なくとも１つを用いた規則を含むコンピュータメモリと、
前記コンピュータメモリに含まれる規則を用いて、前記詳細な適合情報から前記選択した衣服を製造するのに必要な詳細な適合寸法を推定し、当該推定された前記詳細な適合寸法を使用してパターンデータを作成するためのパターン作成プログラムと、を備える装置。
【請求項７】
前記選択した衣服がズボンであることを特徴とする請求項６に記載の装置。
【請求項８】
前記コンピュータメモリが、オンライン記憶装置、オフライン記憶装置、磁気ディスク、磁気テープ、ランダムアクセスメモリ（ＲＡＭ）、リードオンリーメモリ（ＲＯＭ）、バブル記憶装置、コンパクトディスク（ＣＤ）およびデジタルビデオディスク（ＤＶＤ）からなる群から選択される１つまたは複数であることを特徴とする請求項６に記載の装置。
【請求項９】
前記パターンデータを作成するための手段が、選択可能な衣服各々についての拡大縮小が可能なベースパターンと、前記ベースパターンの縮尺を変えて前記パターンデータを生成するための従来のソフトウエアとを含むことを特徴とする請求項６に記載の装置。
【請求項１０】
前記コントローラとの間で通信を行う前記手段が、インターネットを介してコンピュータに接続されたモデムを含むことを特徴とする請求項６に記載の装置。
【請求項１１】
特定の顧客の体型に合わせることを意図した特注の衣服を製造するのに使用可能なパターンデータを作成するための方法であって、
少なくとも１つのベースパターンをコンピュータに格納し、残りのパターン点を拡大縮小して特注のパターンを作成するのに使用可能な詳細な寸法を前記少なくとも１つのベースパターンについて識別するステップと、
ユーザインタフェースを提供することにより顧客との間の通信を構築するステップと、
選択した衣服に対応するベースパターンを拡大縮小するのに必要であり、かつ、顧客が助けを借りることなく容易に求めることのできる少なくとも身長、体重、ウエストサイズ、股下および靴のサイズを含む詳細な適合情報であって、詳細な適合寸法を推定するのに最低限必要である情報を提供するよう前記ユーザインタフェースを通じて顧客に要求するステップと、
コンピュータに格納された規則であって、ＢＭＩ、Ｃ指数、Ｈｔ Ｐｒｏｐのうち少なくとも１つを用いた規則と顧客が提供した詳細な適合報とを使用し、顧客が容易には求めることができず、かつ、衣服に対応したベースパターンを拡大縮小する上で必要な１以上の詳細な適合寸法を推定するステップと、
顧客から提供された詳細な適合情報と推定された詳細な適合寸法とを使用してベースパターンから特注のパターンデータを生成し、従来のパターン縮尺変更プログラムを用いてベースパターンの残りのパターン点を同じ縮尺率にするステップと、を含む方法。
【請求項１２】
複数の異なるベースパターンを前記コンピュータに格納するステップと、顧客に対して前記コンピュータにベースパターンを格納する衣服の種類を示し、製造する衣服を顧客が選択できるようにするステップと、をさらに含むことを特徴とする請求項１１に記載の方法。
【請求項１３】
衣服を製造する布地の種類を顧客が選択できるようにするステップをさらに含むことを特徴とする請求項１１に記載の方法。
【請求項１４】
衣服に施す仕上げ加工の種類を顧客が選択できるようにするステップをさらに含むことを特徴とする請求項１１に記載の方法。
【請求項１５】
顧客との間で通信を構築するステップが、コンピュータと顧客が操作するコンピュータとの間の電子的な接続を提供することを含むことを特徴とする請求項１１に記載の方法。
【請求項１６】
前記接続がインターネットを介して構築されることを特徴とする請求項１１に記載の方法。
【発明の詳細な説明】
【０００１】
【発明の属する技術分野】
本発明は一般に衣類の製造に関し、より詳細には、特定の顧客に合うように製造された衣類に関する。
【０００２】
【従来技術】
数年来、顧客に合った衣服を費用有効的な製造システムにおいて製作することにおける問題により、人の身体の寸法を取り込み、衣類をその人に十分合うように、かつ製造業者、小売業者または消費者にとって過度の費用がかからずに構成できるようにする方法が決定されてきた。人の身体など、３次元の対象向けに設計された衣服の製作は複雑になる可能性があり、これはズボンの場合はライズまたはウエストなど、１次元における変更により、十分に合うことを保証するために、臀部など別の寸法における変更が必要となる可能性があるからである。これは通常、従来のグレーディング・システムを使用することによって行われる。
【０００３】
多数の消費者が、ズボンなど、自分の満足に合う大量製造の服または既製服を見つけることに苦労している。この原因の１つは、ウエストなど重要な寸法を修正する従来のサイジング・システムが、サイズの間で相対的に大きい増分、通常は１インチまたは２インチを使用することである（すなわち、サイズ３０のズボンとサイズ３２のズボンの間の差はウエストで２インチである）。異なる臀部およびライズのサイズが通常、フィット／カット提供（すなわち、スリム、リラックスおよびルーズ・フィット）を介して消費者に提供され、通常は選択が、必要とされる多数のＳＫＵにより制限される。理論的には、小さい増分においてグレーディングされたサイズを有する多数の衣服を製造し、蓄えることは可能となるが、大量の在庫を工場／倉庫において維持するコスト、および小売店で在庫管理を行い、蓄えるコストがひどく高くなる。したがって、少数の標準サイズのみが、大抵の小売店において消費者向けの在庫品販売用に提供されている。
【０００４】
それにも関わらず、大勢の人々に十分に合わせる場合、１着のズボンについて可能であるウエスト、ヒップ、ライズおよびインシームの寸法の組み合わせが文字通り数千ある。１つの特定の組み合わせのみが、いかなる所与の人にも十分に合うものとなる可能性がある。人の寸法のいずれか１つが、特定の衣類製造業者によって提供されたサイズと異なった場合、十分に合うものを見つけることが不可能でないにしても困難となる。たとえば、顧客のライズ寸法が現在のスタイル／カット提供よりも短いかあるいは長かった場合、あるいは、顧客のウエストが、提供されたサイズの中間であった場合、この人が十分に合うものを既製服から得ることは困難となる。
【０００５】
よって、多数の消費者が既成服を受け入れず、特注で合わせた衣類に向かう。衣服を特注で合わせるための従来の方法は重要な身体の寸法を取り込み、これらの寸法を使用して衣服を作成するために重要な寸法を決定し、これらの寸法からパターンを作成し、次いで衣服を構成する。以下の４つの従来の方法が過去において、これを実施するために使用されてきた。
【０００６】
１．巻尺を使用して人の重要な寸法を測り、次いでこれらの寸法を使用してパターンを作成し、衣服を製作する。
【０００７】
２．消費者が着用する実際の衣服をその人の上に置き、仕立て調節をその衣服に行う。
【０００８】
３．調節可能な衣服を使用して身体の寸法を取り込む。
【０００９】
４．ある種類の機械的、光学的またはビデオ・デバイスを使用して、身体の寸法を、衣服が構成される元のユニークなパターンを作成するための必須条件として取り込む。
【００１０】
最初の２つの手法は共に古典的な特注の仕立てを構成する。一般に十分に合うものを製造するが、従来の特注の仕立てのために必要とされる仕立屋または針子の熟練労働者により、製造業者および既成服の小売業者がこれを使用するには大変費用がかかるようになり、多数の消費者にとって大変高価になる。
【００１１】
調節可能な試着用衣服またはパターンが当技術分野において知られており、この問題に対処するために使用されてきた。これらにも、調節を適切に行うために、熟練労働者が小売りの現場で必要となる可能性がある。唯一の調節可能な衣服が使用されるか、あるいは、規格化されたサイジング方式におけるいくつかの調節可能な衣服が使用されるかに関わらず、衣服を裁断かつ組立てるためにかなりの量の労力および費用が残り、これは各衣服をユニークに、各顧客に合わせて調節された寸法に裁断しなければならないからである。コンピュータの使用により、行われる調節について伝送する必要のある情報の収集を高速化することができるが、ユニークな裁断の要件にはなお費用がかかり、時間がかかる。コンピュータを使用して、パターンを実際の寸法に基づいて作成する場合も、これらの寸法に合わせてユニークに裁断するためのコストおよび時間は通常著しいままである。
【００１２】
処理が困難であるデニム、レザー、ビニール、ファーまたは他のものなどの材料により、この問題がさらに悪化する。衣服が最初に満足のいくように裁断されなかった場合、顧客が実際の衣服の合い具合に不満を抱いた場合、これを合うように調節することはひどく高額になる可能性がある。
【００１３】
加えて、光学的あるいは電気的なセンサおよびコンピュータが、顧客の寸法の精度を向上させるために使用されてきた。このタイプの方式では、光学的または電子的デバイスを使用して人の身体の寸法を検知し、取り込む。１つのシステムでは、個人が、システムによって「読み取る」ことができる測定デバイスを有する特殊な衣服を着る。これをコンピュータ・システムに結合することができ、これが読み取りによって得られた情報を使用してパターンを作成し、グレーディングし、あるいは拡大縮小する。したがって、寸法をインタラクティブかつ正確に取り、あるいは作成することができるが、各衣服をなお確実にするためにユニークな寸法に裁断しなければならない。光学的および電気的測定デバイスの使用により、顧客の身体の寸法に関する情報の精度および収集が向上するが、このようなデバイスは高価であり、熟練したオペレータを必要とし、残りの問題および大量製造業者に直面するユニークな裁断および組立てのコストを解決することがない。大量製造業者は１週間に６０，０００または７０，０００着ものズボンを世界中の工場において製作する可能性がある。コストは通常、限られた数の標準サイズおよび標準のスタイル／カットの使用により低く保たれており、これにより特に熟練労働者の必要性を低下あるいはなくし、また専門かつユニークな裁断およびトラッキング方法の必要性も制限する。従来の方法による特注の仕立ては、大量の製造および低コストには矛盾している。
【００１４】
米国特許第５，５４８，５１９号および第５，７６８，１３５号は、参照により本明細書に組み込まれ、顧客を複数の所定の衣服・パターンのうちの１つに、少なくともいくつかの所定の衣服・パターンに対応する試着用衣服を使用して合わせるためのシステムを開示している。最初の試着が、システムによって、選択されたタイプの衣服のための顧客の重要な適合寸法を使用して識別され、次いで追加の試着が顧客の適合の好みに基づいて識別される。
【００１５】
これらの各方法では、仕立屋または店員など、訓練を受けた人が、少なくともいくつかの寸法（顧客が人の手を借りずに容易に決定することができないもの）を取るために必要とされる。たとえば、正確なヒップ、ライズおよび／または臀部の寸法は、顧客が人の手を借りずに決定することが不可能でないにしても非常に困難となる可能性があり、インシームまたはアウトシームなどの寸法が扱いにくいものとなる可能性がある。顧客は頻繁に、このような寸法が別の人によって取られるとき、当惑したり厄介に感じることがあり、これにより、特注で合わせた衣類を得ようとする気が進まなくなる可能性がある。
【００１６】
【発明が解決しようとする課題】
したがって、特注の衣類を、顧客が支援を受けずに容易に決定できる寸法を使用して製造することができ、顧客が容易に１人で決定できない残りの必要な寸法を適度に正確に推定し、顧客が十分に合う特注の縫製衣服を、仕立屋または店員の支援なしに注文できるようにするための製造システムの必要性がある。
【００１７】
【課題を解決するための手段】
本発明によれば、特注衣服を製造するための製造システムおよび方法が得られる。このシステムは、顧客が仕立屋や店員の助けを借りずに相応にぴったりと合う特注縫製の衣服を注文することができるように、顧客が助けを借りることなく容易かつ実質的に正確に求めることのできる詳細な適合寸法に関する情報を提供するよう顧客に要求し、続いてその顧客の入力を利用して、相応にぴったりと合う特注で製造した衣服を製造するのに必要な他の詳細な適合寸法を相応に正確に推定する。
【００１８】
一実施形態では、本発明は、顧客が提供した測定値を用いて特定の顧客用の衣服を製造するための装置であって、コントローラと、顧客と通信し、選択した衣服を製造するのに必要な顧客の詳細寸法のいくつかに関する周知の情報または容易に確認できる情報を入力するよう顧客に要求するためにコントローラに接続された手段と、コントローラとの間で通信を行い、顧客が助けを借りることなく容易に求めることのできる関連の寸法（靴のサイズなど）に基づいて、選択した衣服を製造するのに必要な詳細な適合寸法を少なくとも１つ推定するための規則を含む格納手段と、前記詳細寸法からパターンデータを作成するための手段と、裁断および縫製を行って顧客が選択した衣服のスタイルを製造する製造設備にパターンデータを送信するための手段と、を含む装置を提供するものである。
【００１９】
もう１つの実施形態では、本発明は、顧客が選択した特注の衣服の製造に使用可能なパターンデータを作成するための装置を提供するものである。この実施形態の装置は、コントローラと、コントローラに接続され、顧客との間で通信を行って、顧客が知っているまたは助けを借りることなく容易かつ実質的に正確に確認できる詳細寸法に関する情報を入力するよう顧客に要求するための手段と、前記コントローラに接続され、顧客が助けを借りることなく実質的に正確に求めることのできる関連の寸法に基づいて、選択した衣服についてのパターンデータを作成するのに必要な詳細な適合寸法を少なくとも１つ推定するための規則を含む格納手段と、識別した詳細な適合寸法および計算で求めた詳細な適合寸法とからパターンを作成するためのプログラムと、を含む。
【００２０】
さらに他の実施形態では、本発明は、特定の顧客の体型に合わせることを意図した特注の衣服を製造するのに使用可能なパターンデータを作成するための方法であって、少なくとも１つの汎用パターンをコンピュータに格納し、残りのパターン点を拡大縮小して所望の衣服を作成するのに使用可能な詳細な寸法を前記少なくとも１つのベースパターンについて識別するステップと、複数の異なるベースパターンを前記コンピュータに格納するステップと、顧客に対して前記コンピュータにベースパターンを格納する衣服の種類を示し、製造する衣服を顧客が選択できるようにするステップと、顧客が選択した衣服に基づいて、選択した衣服に対応する格納されたパターンを拡大縮小するのに必要な詳細寸法に関する情報を提供するよう顧客に要求するステップと、コンピュータに格納された規則と顧客が提供した情報とを使用し、特注の衣服を作成するのに必要な詳細寸法を少なくとも１つ推定するステップと、詳細寸法を使用することで、ベースパターンから特注のパターンを作成し、従来のパターン縮尺変更プログラムを用いてベースパターンの残りのパターン点を同じ縮尺率にするステップと、を含む方法を提供するものである。
【００２１】
本発明の他の目的、特徴、利点および実施形態については、図面を参照して発明の詳細な説明を読むことで、当業者であれば理解できよう。
【００２２】
【発明の実施の形態】
本発明の一目的は、顧客が同様の大量生産された衣服の小売り商品で一般に経験するであろうよりも体型に合った特注の衣料品を提供することにある。特注による適合性を高めるためには、顧客の体の寸法をいくつか知っている必要がある。本発明のもう１つの目的は、特定の詳細な適合寸法を算出できるだけの十分な情報をいくつかの詳細な適合寸法または他の情報の中から提供することになる顧客から、第三者の助けを借りることなく、情報を得るためのシステムを提供し、たとえばインターネットを使って体型に合った特注の衣服を顧客が遠隔地から注文できるようにすることにある。
【００２３】
図１に示されるように、本発明の装置は、従来技術の装置に比べて大幅に簡略化されている。本発明は、インタフェース１４を介して顧客に接続されたコンピュータまたはコントローラ１０を含む。コントローラ１０は、好ましくは従来の任意のインタフェースを介して接続可能なＰＣベースのシステムである。インタフェース１４は、最も好ましくはモデムであるが、ハードワイヤー接続であってもよい。次に好ましくは、インタフェース１４は、たとえば、ファックスで送信される紙の注文書や、キーボード、タッチスクリーン、音声認識ハードウエアおよびソフトウエア、スキャナなどを利用して詳細情報をコントローラ１０に入力するコンピュータオペレータ宛のメールなどの手動通信手段である。
【００２４】
コントローラ１０は、コンピュータの記憶装置１２と電子的に接続されている。コンピュータの格納手段１２は、たとえば、ＲＯＭ、ＲＡＭ、磁気テープ、磁気ディスクなどの従来のどのようなメモリ格納手段で構成されていてもよい。このコンピュータの格納手段１２を利用して、販売対象となる衣服の種類ごとのベースパターンに関する情報、パターンデータを作成するのに必要な詳細情報に関する問い合わせ、顧客が第三者の助けを借りることなく自分で測定するのが難しい詳細寸法を少なくとも１通り打ち出すための規則を格納することができる。
【００２５】
好ましい実施形態では、本発明の装置を用いて顧客の体型に合ったズボンのパターンデータを生成する。ズボンを作るための詳細な適合寸法には、ウエスト、腰回り（「座高」）、股上、股下、股下高、ズボン外側の長さがある。本発明では、顧客から申告された体重、身長、ウエスト、股下、靴のサイズなどの特徴を取り入れる独特の予測適合化モデルを使用し、これらの特徴を利用して、正しく合った衣服を作るのに必要な他の詳細寸法を予測する。また、このモデルでは、顧客から申告された特徴のいくつかを利用して、同じく顧客から申告された他の寸法を確認したり、時折混じる伝達ミスなどを見つけることもできる。最も多い例がズボンのウエストサイズである。通常、顧客はウエストサイズを教えてくれるのが普通であるが、今までの経験から顧客は実際のウエストサイズよりも小さめの寸法を言うことが多いことが分かっている。上記の統計モデルは実際の対象寸法を物理的に測定して行う計画実験に基づいて得られたものであるため、この統計モデルには、ズボンを作るために顧客から申告されたウエストサイズを一層正確なウエストサイズに調節する機能がある。
【００２６】
本発明の好ましいモデルは、一般に実験計画法と呼ばれる統計的な方法論に基づいている。従来、実験計画法は、たとえば、作物学、化学工学、半導体製造などにおいて既存の製品を改善したり新しい製品を発明したりするためのさまざまな技術的な訓練に用いられている。ここでは、衣服の適合研究に実験計画法の方法論を応用したが、これは独特のものであると考えている。したがって、実験計画法の方法論を用いて開発された好ましいモデルを用いることで、統計的な推定値を生成するのに必要なリソースを最低限に抑えつつ、人体の異なる寸法間の多変数関係を正確に推定することができる。
【００２７】
好ましいモデルは、容易に測定でき、かつ、顧客から提供される寸法から開始される。ズボンの場合であれば、このような特徴は、身長、体重、ウエスト、股下、靴のサイズを含むものであると好ましい。ほとんどの顧客は、自分の身長と体重、ウエストのサイズを知っているか、あるいは他人の手を借りることなく容易に測定することができる。股下は、他人の助けがない状態では身長や体重などと同じように顧客が簡単に測定できるわけではないのが普通であるが、顧客が所有している自分に合った服のサイズをもとにかなり正確に求めることができるものである。しかしながら、座高、股下高、ズボンの外側の長さについては、寸法を採る正確な測定位置がズボンのデザインによってまちまちなことがあるため、顧客が誰の助けも借りずに自分で求めるのは極めて難しい。したがって、好ましいモデルには、座高、股下高、ズボン外側の長さなどの寸法を推定するための規則と、ウエストや股下など顧客から申告された寸法を確認するための規則を含む。推定値は、人体の異なる部分の強い相関から求められる面が大きい。たとえば、ひざ高と上腕長との間には強い相関が認められる。第三次米国国民健康栄養調査、１９８８〜１９９４、米国国立保健統計センター（１９９４）。本発明では、大腿部の長さと足長との間の強い相関を利用して、股下高やズボン外側の長さなどのズボンの寸法を予測できるだけの根拠を得ている。
【００２８】
ズボンを注文する顧客は一般に自分の身長と体重、ウエストサイズを知っているが、足長までは知らないことがある。したがって、好ましいモデルでは、足のサイズをモデルに反映させるべく靴のサイズに適用される適切な係数を提供する。もちろん、モデルを修正して、以下の一次方程式を使って靴のサイズを足長に変換し、靴のサイズではなく足のサイズを直接使うようにすることも可能である。
【００２９】
足長＝７．２９＋［０．３３８×ＳＲ靴のサイズ]
式中、ＳＲ靴のサイズは自己申告による靴のサイズである。
【００３０】
一般に顧客が知っていることはない寸法すなわち、股下高とズボン外側の長さを予測する上で、靴のサイズ（または推定足長）を使うさらに別のルールを、回帰分析に基づいて適用することが可能である。
【００３１】
また、ウエストや座高などのズボンの特徴を予測するのに用いられる体のうち脂肪のない部分と脂肪のある部分の比率にも強い相関がある。したがって、顧客から申告された身長、体重、股下およびウエストの測定値を推定値に反映させ、ウエストや座高などの寸法を予測することができる。本発明で体の寸法の予測に使用する好ましいモデルは、以下「Ｃ指数」と呼ぶ「円錐形指数」を含む。人体測定者の中には、体型を数学的に示すものとしてＣ指数を使用している人もいる。体型は完全な円柱形から二重円錐形までの範囲にわたる。Ｃ指数を用いることで、ウエストの部分で体型を定義しやすくなる。この場合、以下の式を用いてＣ指数を算出すると好ましい。
【００３２】
Ｃ指数＝（ＳＲウエスト×０．０２５４）／（０．１０９×√[（ＳＲ体重／２．２）／（ＳＲ身長×０．０２５４）］
式中、ＳＲ身長は「自己申告による」身長（顧客から申告された身長など）であり、ＳＲウエストは自己申告によるウエストサイズである。
【００３３】
好ましいモデルにおいて有用なもう１つの算出変数が、体格指数（ＢＭＩ）についての計算値である。ＢＭＩは、筋肉質の部分と脂肪の多い部分との比率を定義する上での助けになる。この指数は、座高およびウエストのサイズを予測する上で特に有用である。ＢＭＩは、自己申告による体重を自己申告による身長の二乗で除し、結果に１００を掛けて求めると好ましい。
【００３４】
ＢＭＩ＝（ＳＲ体重／（ＳＲ身長×ＳＲ身長））×１００
ウエストの高さ位置を定義する上で助けになるさらにもう１つの算出変数が身長比率すなわちＨｔ  Ｐｒｏｐであり、これは以下のようにして算出される。
【００３５】
Ｈｔ  Ｐｒｏｐ＝［（ＳＲ身長−ＳＲ股下）／ＳＲ身長］×１００
これらの変数を算出した後、これを自己申告による寸法と共に好ましいモデルに使用し、以下の詳細寸法を算出することができる。
【００３６】
ウエストの予測値＝−１３．３０３７＋（２．５４×ＢＭＩ）＋（１０．２９×Ｃ指数）＋（０．１５×Ｈｔ  Ｐｒｏｐ）＋（０．０２×ＳＲ身長）＋（０．０３×ＳＲ体重）＋（０．３６×ＳＲウエスト）−（０．０４×ＳＲ股下）＋（０．０６×ＳＲ靴長）
座高の予測値＝３．５５０４＋（１．９８９１×ＢＭＩ）＋（１．２３９７×Ｃ指数）＋（０．０８２３×Ｈｔ  Ｐｒｏｐ）＋（０．１００１×ＳＲ身長）＋（０．０２７２×ＳＲ体重）＋（０．２４７２×ＳＲウエスト）＋（０．０９８３×ＳＲ股下）−（０．０５９７×ＳＲ靴長）
ズボン外側の長さの予測値＝１２．２５−（３．０４９５×ＢＭＩ）−（１７．９９３×Ｃ指数）＋（０．１２５９×Ｈｔ  Ｐｒｏｐ）＋（０．３１３９×ＳＲ身長）−（０．００９６×ＳＲ体重）＋（０．６３９８×ＳＲウエスト）＋（０．４００３×ＳＲ股下）−（０．０７８３×ＳＲ靴長）
股下高の予測値＝３．５０−（３．５３０３×ＢＭＩ）−（２０．８３５４×Ｃ指数）＋（０．１３４６×Ｈｔ  Ｐｒｏｐ）＋（０．３１２７×ＳＲ身長）−（０．０１５６×ＳＲ体重）＋（０．７８９０×ＳＲウエスト）＋（０．４０３３×ＳＲ股下）−（０．０２３０×ＳＲ靴長）
腰回り差の予測値＝座高の予測値−ウエストの予測値
股上の予測値＝ズボン外側の長さの予測値−股下高の予測値
好ましいモデルで使用する長さの測定値（身長、ウエスト、股下など）はいずれもインチ単位である。好ましいモデルで使用する体重測定値はポンド単位である。
【００３７】
詳細寸法の求め方を示すために、具体的な実例を以下にあげておく。この例では、顧客は以下の寸法を申告してきた。
【００３８】
ＳＲ身長：５フィート６インチ（６６インチ）
ＳＲ体重：１９５ポンド
ＳＲウエスト：３７インチ
ＳＲ股下：３０インチ
ＳＲ靴長：サイズ９
上記の好ましい式を利用すると、
ＢＭＩ＝４．４８
Ｃ指数＝１．１８
Ｈｔ  Ｐｒｏｐ＝５４．５５
自己申告による寸法に加えてこれらの計算値を適用し、好ましいモデルを用いて以下のような衣服の詳細寸法を予測する。
【００３９】
ウエストの予測値＝３８．２３インチ
座高の予測値＝４１．８８インチ
ズボン外側の長さの予測値＝３８．０５インチ
股下高の予測値＝２９．１２インチ
腰回り差の予測値＝３．６５インチ
股上＝８．９３インチ
予測したウエスト値が申告されたウエスト値よりも幾分大きいことに注意されたい。上述したように、顧客が自分の実際のウエストサイズを小さ目に言うのが普通なのである。しかしながら、モデルは他の体の寸法を用いて可能性の高いウエスト値を予測し、ウエストの予測値を得た上で、衣服の製造時にはこれを実際に使用する。この例では、申告されたウエスト値の代わりに予測したウエスト値を用いて顧客用にズボンを製造したところ、顧客のウエストにぴったりと合っていたことが分かった。
【００４０】
詳細寸法がすべて分かったら、パターンデータを導出することができる。好ましくは、詳細寸法を用いる従来の縮尺変更プログラムを用いてパターンを拡大縮小し、残りのパターン点を詳細寸法に合った縮尺率にしてパターンデータを導出する。また、このような縮尺変更プログラムは、選択した衣服を製造するのに使用する布地のタイプに基づいて、ゆとりがあって予測可能な布地の収縮を所望のレベルに補償することができる。たとえば、ゆったりとした着心地を提供することを意図したＫｈａｋｉのズボンを製造する場合、パターン作成プロセスの間に計算で求めた座高寸法に約５インチを加えて所望のゆとりのレベルを得る。
【００４１】
あるいは、米国特許第５，５４８，５１９号および同第５,７６８,１３５号に記載されているように、算出した詳細寸法を予め定めたパターンのグリッドにおいて予め定めたパターンに最も近くなるように合わせてパターンデータを求めることも可能である。
【００４２】
図１に示されるように、コントローラ１０は、パターンデータが送信され、選択した布地から切り抜きパーツを裁断する従来の裁断機を操作するのに使用される生産設備に電子的に接続されている。切り抜きパーツを縫製し、特注で顧客の体に合った衣服を得る。縫製後、特注で顧客に合った衣服に対し、顧客が前もって選択可能な従来の仕上げ加工を施し、検品し、顧客に納品することも可能である。
【００４３】
図２に示されるように、製造して欲しい特定の衣服を顧客が選択した時点でプロセスが開始されると好ましい。顧客には、特定の寸法を推定し、選択した衣服についてのパターンデータを作成するのにするのに必要な特定の詳細情報を提供するよう要求される。ズボンの場合であれば、詳細情報には、身長、体重、ウエスト、靴のサイズおよび股下が含まれる。シャツやジャケットの場合であれば、詳細情報には、身長、体重、ウエスト、靴のサイズ、首まわり（実験計画法の方法論を用いて開発したモデルを用いて袖丈および他の任意の詳細寸法を予測）が含まれる。あるいは、パンツなどの衣服でスタイルの違いが選択できる場合は、プロセスを逆にして詳細情報（スタイルごとに同一）を得た上でスタイルを選択するようにすることも可能である。
【００４４】
必要な情報がすべて得られると、コントローラは、その顧客が特定の衣服についてのデザインパラメータの範囲内にあるか否かを判定する。衣服によっては、大きすぎる人や小さすぎる人、あるいは体に珍しい特徴のある人には合わないようなデザインになっていることもある。したがって、コントローラには、衣服ごとのデザインパラメータから外れるため、単純にその服には合わない顧客を識別するのに使用できる上限と下限とを設けておくと好ましい。個人がデザインパラメータの範囲内にあることがコントローラによって確認されると、詳細寸法を推定するための規則が適用される。次に、コントローラは、推定した詳細寸法と実際の詳細寸法の両方を用いてパターンデータを求めるのが好ましい。パターンデータは生産設備に送信され、その設備では受信したデータを裁断機に使用して個々の布地片を裁断し、縫製して注文のあった衣服を製造する。裁断前に、顧客が選択した布地（またはコントローラが識別した、デフォルトで選択される布地）を裁断台に載せる。次に、布地片を裁断し、好ましくは区別できるように印をつけておく。裁断後、布地片を従来の通り縫製して所望の衣服を製造する。縫製後、（デフォルトの仕上げ加工、あるいは、顧客が特定の仕上げ加工を選択した場合、顧客が選択した仕上げ加工で）衣服を従来の通り仕上げることも可能である。本願の目的で、仕上げ加工には、たとえば、衣服に耐久プレス樹脂を塗布する、ストーンウォッシュ処理または他の衣服外表面研磨処理、衣服の布地に三次元効果を生むような処理、漂白、染色、印刷または衣服の柔軟化、あるいは、衣服表面のレーザー処理などを含むことができ、これらの処理をした後にラベルとタグを付ける。
【００４５】
仕上げ加工後、品質管理検査担当者によって衣服を検品すると好ましい。これは、米国特許第５,６９１,９２３号（本願明細書に援用する）に開示されているような、コントローラ１０から詳細寸法を受信でき、かつ、品質管理（ＱＣ）検査担当者に検品した衣服が標準公差内または特別な公差内にあるか否かを示すことのできる測定システムを用いて実施すると好ましい。
【００４６】
品質管理検査に合格したら、最後にこの衣服を包装して顧客に納入することができる。
【００４７】
本システムは、特注で体に合った衣服をインターネットベースのオンラインで注文するシステムを構築する上で使用するのに特に適しているが、従来型のメールオーダーシステムや小売店にある売店でも使用することができる。
【００４８】
本願明細書にて説明したシステムは、顧客が必要な寸法を得るのに第三者の助けを借りる必要がないため、特に有用なものである。第三者の助けを借りるのではなく、顧客は、すでに分かっている情報または助けを借りることなく容易に確認できる情報を提供するよう要求される。これらの情報が得られたら、システムは、上記にて詳細に説明した規則を適用し、１つまたはそれ以上の詳細寸法を推定し、次いで実際の詳細寸法と推定した詳細寸法とを用いて、特注で体型に合った衣服を製造するのに用いるパターンデータを作成する。
【００４９】
さまざまな方法で、さまざまな材料から本発明を構成できることは、当業者であればすぐに理解できよう。添付の図面を参照して好ましい実施形態について詳細に説明したが、添付の特許請求の範囲に記載の本発明の範囲を逸脱することなく、さまざまな形でさらに修正を施し得ることは明らかであろう。
【図面の簡単な説明】
【図１】  本発明の装置の構成部品を示す概略図である。
【図２】  本発明の好ましい方法を説明したプロセスチャートである。
【図１】
0003889929.tif 000002
【図２】
0003889929.tif 000003